Podtech/llm-jp-corpus-v4-ja_patent huggingface dataset:
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
複数種の絵柄を所定方向に循環表示させる複数の循環表示手段と、
前記各循環表示手段の循環表示を開始させるべく操作される始動操作手段と、
該始動操作手段の操作に基づいて役の抽選を行う抽選手段と、
前記各循環表示手段の循環表示を個別に停止させるべく操作される複数の停止操作手段と、
前記始動操作手段の操作に基づいて前記各循環表示手段の循環表示を開始させると共に、前記各停止操作手段の操作に基づいて操作された停止操作手段と対応する循環表示手段の循環表示を停止させるように、且つ、前記役の抽選に当選した場合には、遊技機前方から視認可能な有効位置に当選役と対応する絵柄の組合せを形成させ得るように、前記各循環表示手段を循環表示制御する循環表示制御手段と、
前記各循環表示手段の循環表示の停止後に、前記当選役と対応する絵柄の組合せが前記有効位置に形成された場合、遊技者に特典を付与する特典付与手段と、
各種情報を表示画面上に表示する補助表示部と
を備えた遊技機において、
特定の遊技情報を前記表示画面上に表示させるべく操作される表示操作手段と、
前記表示操作手段が操作されたことを確認する表示操作確認手段と、
前記表示操作確認手段が前記表示操作手段の操作を確認した場合、遊技の進行に関わらず前記遊技情報を前記表示画面上に表示するよう前記補助表示部を表示制御する表示制御手段と
を備えることを特徴とする遊技機。
【請求項２】
前記表示制御手段は、遊技の進行に応じた補助演出を前記表示画面上に表示させるべく前記補助表示部を演出制御する補助演出手段と、前記補助演出手段が前記演出制御を行っている最中に前記表示操作確認手段が前記表示操作手段の操作を確認した場合に、前記表示画面上の表示を前記補助演出から前記遊技情報に切り替える切替手段を備えることを特徴とする請求項１に記載の遊技機。
【請求項３】
前記表示制御手段は、遊技の進行に応じた補助演出を前記表示画面上に表示させる補助演出手段と、前記補助演出手段が前記演出制御を行っている最中に前記表示操作確認手段が前記表示操作手段の操作を確認した場合、前記表示画面上の所定領域に前記補助演出を表示させるよう表示領域を変更する表示領域変更手段と、前記表示領域変更手段が表示領域を変更した場合、前記所定領域以外の表示領域に前記遊技情報を表示させる遊技情報表示手段とを備えることを特徴とする請求項１に記載の遊技機。
【請求項４】
前記表示操作確認手段は、少なくとも前記循環表示手段が循環表示を行っている場合に、前記表示操作手段が操作されたことを確認することを特徴とする請求項１乃至３のいずれか１に記載の遊技機。
【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
被検体に挿入される挿入部を有するスコープユニットと、このスコープユニットが接続されるメインユニットとを備える内視鏡装置であって、
前記スコープユニットに配設される回路に対するエネルギーを制限するバリア回路を備え、
前記バリア回路が設けられた部分より先に延出する部分を本質安全防爆とするようにしたことを特徴とする内視鏡装置。
【請求項２】
前記バリア回路は、直流エネルギーの制限に対しては、少なくとも３個のツェナーダイオードと、少なくとも１個の抵抗とを用い、
交流エネルギーの制限に対しては、少なくとも３個のカップリングコンデンサを用い、
直流エネルギー及び交流エネルギーの制限に対しては、少なくとも３個のツェナーダイオードと、少なくとも１個の抵抗と、少なくとも３個のカップリングコンデンサと、を組み合わせたものを用いるようにし、
前記本質安全防爆の部分を、防爆規定に基づくｉａ機器としたことを特徴とする請求項１に記載の内視鏡装置。
【請求項３】
前記バリア回路は、直流エネルギーの制限に対しては、少なくとも１個の抵抗又は少なくとも２組の半導体を用いた電流制限回路と、少なくとも２個のツェナーダイオードと、を用い、
交流エネルギーの制限に対しては、少なくとも２個のカップリングコンデンサを用い、
直流エネルギー及び交流エネルギーの制限に対しては、少なくとも１個の抵抗又は少なくとも２組の半導体を用いた電流制限回路と、少なくとも２個のツェナーダイオードと、少なくとも２個のカップリングコンデンサと、を組み合わせたものを用いるようにし、
前記本質安全防爆の部分を、防爆規定に基づくｉｂ機器としたことを特徴とする請求項１に記載の内視鏡装置。
【請求項４】
前記直流エネルギーの制限に対しては、更に、ヒューズを挿入するようにしたことを特徴とする請求項２又は３に記載の内視鏡装置。
【請求項５】
前記本質安全防爆の部分は、防爆規定に基づくＺｏｎｅ０又はＺｏｎｅ１の防爆仕様を満たすことを特徴とする請求項１から請求項４のいずれか一項に記載の内視鏡装置。
【請求項６】
前記本質安全防爆の部分よりも、前記メインユニット側に設けられた部分は、防爆規定に基づくＺｏｎｅ２の防爆仕様を満たすことを特徴とする請求項１から請求項５のいずれか一項に記載の内視鏡装置。
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
遊技に関する制御を司る制御基板、及び該制御基板を収容する基板ケースを有する制御装置と、
遊技機本体の背面に設けられ、前記制御装置を前記基板ケースと前記遊技機本体の背面とを離間させた状態で装着し、その基板ケースと遊技機本体の背面との間に空間領域を形成する台座部材と、
前記空間領域に設けられ当該空間領域を細分化するスペーサ部材と、を備え、
前記スペーサ部材には、前記台座部材に対する係止が行われる係止部が一体形成されており、前記係止部での係止により前記台座部材に前記スペーサ部材が固定されていることを特徴とする遊技機。
【請求項２】
前記係止部は、前記台座部材に前記スペーサ部材を組み付けた状態で、前記台座部材に形成された孔部に差し入れられてその一部が前記台座部材を挟んで前記スペーサ部材とは反対側に突出し、その突出部に係止爪が形成されているものであることを特徴とする請求項１に記載の遊技機。
【請求項３】
前記台座部材に装着された前記制御装置によって前記係止部が隠されていることを特徴とする請求項１又は２に記載の遊技機。
【請求項４】
前記スペーサ部材は、多数のリブを有し格子状に形成された格子状部材であり、前記空間領域に前記リブが遊技機前後方向に延びる向きとなるようにして設けられて前記空間領域が細分化されていることを特徴とする請求項１乃至３のいずれか一項に記載の遊技機。
【請求項５】
前記スペーサ部材は透明材料により形成され、当該スペーサ部材の内部が視認可能になっていることを特徴とする請求項１乃至４のいずれか一項に記載の遊技機。
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
プログラムに従った処理を実行する情報処理装置に対して、入力を与えることができる、撮影の被写体としての入力装置であって、
照射された光を反射する第１の反射体と、
前記第１の反射体に取り付けられ、オペレータの手に装着される装着体と、を備え、
前記装着体は、オペレータの手のひら側に前記第１の反射体が位置するように、前記オペレータの手に装着される、入力装置。
【請求項２】
前記第１の反射体は、透明体で覆われる、請求項１記載の入力装置。
【請求項３】
照射された光を反射する第２の反射体をさらに備え、
前記第２の反射体は、前記第１の反射体に対向するように、前記装着体に取り付けられ、
前記装着体は、前記オペレータの手のひら側に前記第１の反射体が位置するように、かつ、前記オペレータの手の甲の側に前記第２の反射体が位置するように、前記オペレータの手に装着される、請求項１又は２記載の入力装置。
【請求項４】
前記第２の反射体の反射面は、前記入力装置が前記オペレータの手に装着された状態で、前記オペレータの側を向くように形成される請求項３記載の入力装置。
【請求項５】
前記装着体は、帯状の部材である、請求項１から４のいずれかに記載の入力装置。
【請求項６】
請求項１から５のいずれか一に記載の入力装置と、
前記入力装置を撮影する撮影手段と、
前記撮影手段によって得られた画像を解析する解析手段と、
前記解析手段の解析結果に基づいて、表示装置に表示する映像信号を生成する映像生成手段と、を備える情報処理システム。
【請求項７】
各々オペレータの左右の手で動きが与えられる２つの操作物を検出して、検出結果に基づいて所定の画像を表示装置に表示する映像制御方法であって、
反射体を有する前記操作物を撮影するステップと、
前記撮影によって得られた画像に基づいて、少なくとも、第１条件及び第２条件を満足したか否かを判定するステップと、
少なくとも、前記第１条件及び前記第２条件を満足したときに、前記所定の画像を表示するステップと、を含み、
前記第１条件は、前記撮影によって得られた前記画像上に前記２つの操作物のいずれも写っていないことであり、
前記第２条件は、前記第１条件を満足した後、前記撮影によって得られた前記画像上に少なくとも１つの前記操作物が写ったことである、映像制御方法。
【請求項８】
前記第２条件は、前記第１条件を満足した後、前記撮影によって得られた前記画像上に前記２つの操作物が写ったことである、請求項７記載の映像制御方法。
【請求項９】
前記第２条件は、前記第１条件を満足した後、前記撮影によって得られた前記画像上に前記２つの操作物が所定の配置で写っていることである、請求項８記載の映像制御方法。
【請求項１０】
前記所定の画像を表示する前記ステップでは、前記第１条件及び前記第２条件に加えて、第３条件及び第４条件を満足したときに、前記所定の画像を表示し、
前記第３条件は、前記第２条件を満足した後、前記撮影によって得られた前記画像上に前記２つの操作物のいずれも写ってないことであり、
前記第４条件は、前記第３条件を満足した後、前記撮影によって得られた前記画像上に少なくとも１つの前記操作物が写ったことである、請求項７から９のいずれかに記載の映像制御方法。
【請求項１１】
請求項１から５のいずれか一に記載の入力装置を撮影するステップと、
撮影によって得られた画像を解析するステップと、
解析の結果に基づいて、表示装置に表示する映像信号を生成するステップと、を含む映像制御方法。
【請求項１２】
請求項７から１０のいずれか一に記載の映像制御方法をコンピュータに実行させるコンピュータプログラム。
【請求項１３】
請求項１１記載の映像制御方法をコンピュータに実行させるコンピュータプログラム。
【手続補正２】
【補正対象書類名】明細書
【補正対象項目名】発明の名称
【補正方法】変更
【補正の内容】
【発明の名称】入力装置、情報処理システム、映像制御方法、及びコンピュータプログラム
【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
遊技媒体が投入されるホッパーを１の筐体に複数並設させるか、または１のホッパーを有する筐体をホッパーが連続するよう複数並設させ、並設させた各ホッパーは同時に投入された遊技媒体がホッパー間からこぼれないように接続されており、各ホッパーに対応して計数機構を備え、各計数機構がホッパーに投入された遊技媒体をそれぞれ計数すると共に各計数機構の計数を別個または同一に取扱い可能な遊技媒体計数機であって、
各ホッパー下流には、それぞれ個別に計数した遊技媒体を排出する排出口を設け、遊技媒体を個別に排出可能なことを特徴とする遊技媒体計数機。
【請求項２】
前記排出口が、各ホッパーに対応して複数設けられることを特徴とする請求項１記載の遊技媒体計数機。
【請求項３】
前記排出口の上流には、各ホッパーからの遊技媒体を合流させて形成された合流部を有し、該合流部の上流に、遊技媒体を順次個別に排出可能ならしめるための遊技媒体の流下を阻止する１乃至複数の流下阻止手段を有することを特徴とする請求項１記載の遊技媒体計数機。
【請求項４】
前記計数機構と排出口との間には、遊技媒体を洗浄または／および研磨可能な洗浄部を備え、洗浄または／および研磨した遊技媒体を個別に排出可能な請求項１乃至請求項３に記載の遊技媒体計数機。
【手続補正２】
【補正対象書類名】明細書
【補正対象項目名】発明の名称
【補正方法】変更
【補正の内容】
【発明の名称】遊技媒体計数機
【手続補正３】
【補正対象書類名】明細書
【補正対象項目名】００２１
【補正方法】変更
【補正の内容】
【００２１】
に構成する。このように構成することで、個別に計数された遊技媒体は、それぞれの遊技媒体にあった洗浄等の処理が行われ、その後それぞれ個別に分配されて排出される。
なお研磨とは、パチンコ玉やメダルの表面を布などにより拭き取ることも含まれる。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】削除
【補正の内容】
【手続補正２１】
【補正対象書類名】明細書
【補正対象項目名】００３９
【補正方法】削除
【補正の内容】
【手続補正２２】
【補正対象書類名】明細書
【補正対象項目名】００４０
【補正方法】削除
【補正の内容】
【手続補正２３】
【補正対象書類名】明細書
【補正対象項目名】００４１
【補正方法】削除
【補正の内容】
【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
導電層と、
前記導電層上に設けられた絶縁膜と、
前記絶縁膜上に設けられた空間と、
前記絶縁膜上及び前記空間上に設けられた構造層と、を有し、
前記構造層は、アモルファス半導体層と多結晶半導体層とを有する積層構造からなることを特徴とする半導体装置。
【請求項２】
導電層と、
前記導電層上に設けられた絶縁膜と、
前記絶縁膜上に設けられた空間と、
前記絶縁膜上及び前記空間上に設けられた構造層と、を有し、
前記構造層は、結晶成長方向が異なる多結晶半導体層が複数層積層された積層構造からなることを特徴とする半導体装置。
【請求項３】
導電層と、
前記導電層上に設けられた絶縁膜と、
前記絶縁膜上に設けられた空間と、
前記絶縁膜上及び前記空間上に設けられた構造層と、を有し、
前記構造層は、アモルファス半導体層と多結晶半導体層とシリサイド層とを有する積層構造からなることを特徴とする半導体装置。
【請求項４】
請求項１乃至請求項３のいずれか一項において、
前記多結晶半導体層は、結晶化を促進させる金属元素を用いて結晶化されたものであることを特徴とする半導体装置。
【請求項５】
請求項１乃至請求項４のいずれか一項において、
前記導電層、前記絶縁膜、前記空間、及び前記構造層により検出素子が構成されており、
前記絶縁膜上には、半導体素子を有する電気回路部が設けられていることを特徴とする半導体装置。
【請求項６】
請求項１乃至請求項４のいずれか一項において、
前記導電層、前記絶縁膜、前記空間、及び前記構造層により記憶素子が構成されており、
前記絶縁膜上には、前記構造体と電気的に接続される半導体素子が設けられていることを特徴とする半導体装置。
【請求項７】
請求項５又は請求項６において、
前記半導体素子の有する半導体層は、結晶化を促進させる金属元素を用いて結晶化された多結晶半導体層であることを特徴とする半導体装置。
【手続補正書】
【提出日】平成20年11月26日(2008.11.26)
【手続補正１】
【補正対象書類名】特許請求の範囲
【補正対象項目名】請求項４
【補正方法】変更
【補正の内容】
【請求項４】
前記第１判別手段は、前記入力画像データに基づいてなされる記録が前記結合部で重なりあった記録要素を用いてなされるものであるかどうかを判別することを特徴とする請求項３に記載の記録装置。
【手続補正２】
【補正対象書類名】特許請求の範囲
【補正対象項目名】請求項５
【補正方法】変更
【補正の内容】
【請求項５】
前記第２の判別手段により前記入力画像データがテキスト画像を記録するものであることが判別された場合、前記制御手段は、前記結合部での記録において、前記結合部を形成する２つの基板のいずれかの記録要素を駆動して記録を行うよう制御することを特徴とする請求項４に記載の記録装置。
【手続補正３】
【補正対象書類名】特許請求の範囲
【補正対象項目名】請求項６
【補正方法】変更
【補正の内容】
【請求項６】
前記制御手段は、前記結合部で重なりあった記録要素のいずれかで、前記結合部を形成する２つの基板の内の１つの基板の記録要素から別の基板の記録要素に記録に用いる記録要素を切替えるよう制御することを特徴とする請求項５に記載の記録装置。
【手続補正４】
【補正対象書類名】特許請求の範囲
【補正対象項目名】請求項７
【補正方法】変更
【補正の内容】
【請求項７】
前記第２の判別手段により前記入力画像データが図形／中間調画像を記録するものであることが判別された場合、前記制御手段は、前記結合部での記録において、前記結合部を形成する２つの基板の両方の記録要素を用いて記録を行うよう制御することを特徴とする請求項４に記載の記録装置。
【手続補正５】
【補正対象書類名】特許請求の範囲
【補正対象項目名】請求項８
【補正方法】変更
【補正の内容】
【請求項８】
前記制御手段は、前記結合部での記録要素全てを通じて、前記結合部を形成する２つの基板の内、１つの基板の記録要素を用いて記録を行う割合と別の基板の記録要素を用いて記録を行う割合とを変化させることにより、記録に用いる記録要素を切替えるよう制御することを特徴とする請求項７に記載の記録装置。
【手続補正６】
【補正対象書類名】明細書
【補正対象項目名】００２３
【補正方法】変更
【補正の内容】
【００２３】
さらに、第２の判別手段により入力画像データがテキスト画像を記録するものであることが判別された場合、前記制御手段は、その結合部での記録において、結合部を形成する２つの基板のいずれかの記録要素を駆動して記録を行うよう制御すると良い。その制御はより具体的には、その結合部で重なりあった記録要素のいずれかで、結合部を形成する２つの基板の内の１つの基板の記録要素から別の基板の記録要素に記録に用いる記録要素を切替えるよう制御することが望ましい。
【手続補正７】
【補正対象書類名】明細書
【補正対象項目名】００２４
【補正方法】変更
【補正の内容】
【００２４】
一方、第２の判別手段により入力画像データが図形／中間調画像を記録するものであることが判別された場合、前記制御手段は、その結合部での記録において、結合部を形成する２つの基板の両方の記録要素を用いて記録を行うよう制御すると良い。その制御はより具体的には、その結合部での記録要素全てを通じて、結合部を形成する２つの基板の内、１つの基板の記録要素を用いて記録を行う割合と別の基板の記録要素を用いて記録を行う割合とを変化させることにより、記録に用いる記録要素を切替えるよう制御することが望ましい。
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
無彩色のインクを吐出するための記録素子と有彩色のインクを吐出するための記録素子を少なくとも有する第１の記録素子基板と、前記第１の記録素子基板に設けられた記録素子により吐出されるインクとは異なるインクを吐出するための記録素子を少なくとも有する第２の記録素子基板とを備えた記録ヘッドを用いて、記録媒体に画像を記録するインクジェット記録装置において、
モノクローム画像を記録するためのモノクロ記録モードを実行可能であり、
前記モノクロ記録モードで使用可能な記録素子の全てが前記第１の記録素子基板に設けられていることを特徴とするインクジェット記録装置。 
【請求項２】
前記モノクロ記録モードで使用可能なインクは、複数種類の前記無彩色のインクと１種類以上の前記有彩色のインクであり、前記第１の記録素子基板は、前記複数種類の無彩色のインクを吐出するための記録素子と前記１種類以上の有彩色のインクを吐出するための記録素子とを有することを特徴とする請求項１に記載のインクジェット記録装置。 
【請求項３】
前記複数種類の無彩色インクは、ブラックインクと当該ブラックインクよりも色材濃度が低いグレーインクを含むことを特徴とする請求項２に記載のインクジェット記録装置。
【請求項４】
前記記録ヘッドは、少なくともシアン、マゼンタおよびイエローのインクを吐出可能であり、前記モノクロ記録モードで使用可能な１種類以上の有彩色のインクは、前記シアンインクよりも色材濃度が低いライトシアンインクを含むことを特徴とする請求項２または３に記載のインクジェット記録装置。
【請求項５】
前記記録ヘッドは、少なくともシアン、マゼンタおよびイエローのインクを吐出可能であり、前記モノクロ記録モードで使用可能な１種類以上の有彩色のインクは、前記マゼンタインクよりも色材濃度が低いライトマゼンタインクを含むことを特徴とする請求項２乃至４のいずれかに記載のインクジェット記録装置。 
【請求項６】
前記記録ヘッドは、少なくともシアン、マゼンタおよびイエローのインクを吐出可能であり、前記モノクロ記録モードで使用可能な１種類以上の有彩色のインクは、前記イエローインクを含むことを特徴とする請求項２乃至５のいずれかに記載のインクジェット記録装置。 
【請求項７】
前記第２の記録素子基板は、シアン、マゼンタおよびイエローのインクを吐出するための記録素子を有し、前記第１の記録素子基板は、前記複数種類の無彩色のインク、前記シアンインクよりも色材濃度が低いライトシアンインクおよび前記マゼンタインクよりも色材濃度が低いライトマゼンタインクを吐出するための記録素子を有することを特徴とする請求項１に記載のインクジェット記録装置。 
【請求項８】
モノクローム画像を記録するためのモノクロ記録モードを実行可能なインクジェット記録装置において使用されるインクジェット記録ヘッドであって、 
無彩色のインクを吐出するための記録素子と有彩色のインクを吐出するための記録素子を少なくとも有する第１の記録素子基板と、
前記第１の記録素子基板に設けられた記録素子により吐出されるインクとは異なるインクを吐出するための記録素子を少なくとも有する第２の記録素子基板とを備え、
前記第１の記録素子基板には、前記モノクロ記録モードで使用可能な記録素子の全てが設けられていることを特徴とするインクジェット記録ヘッド。 
【手続補正２】
【補正対象書類名】明細書
【補正対象項目名】００１７
【補正方法】変更
【補正の内容】
【００１７】
そのために本発明においては、無彩色のインクを吐出するための記録素子と有彩色のインクを吐出するための記録素子を少なくとも有する第１の記録素子基板と、前記第１の記録素子基板に設けられた記録素子により吐出されるインクとは異なるインクを吐出するための記録素子を少なくとも有する第２の記録素子基板とを備えた記録ヘッドを用いて、記録媒体に画像を記録するインクジェット記録装置において、モノクローム画像を記録するためのモノクロ記録モードを実行可能であり、前記モノクロ記録モードで使用可能な記録素子の全てが前記第１の記録素子基板に設けられていることを特徴とする。
【手続補正３】
【補正対象書類名】明細書
【補正対象項目名】００１８
【補正方法】変更
【補正の内容】
【００１８】
また、モノクローム画像を記録するためのモノクロ記録モードを実行可能なインクジェット記録装置において使用されるインクジェット記録ヘッドであって、
無彩色のインクを吐出するための記録素子と有彩色のインクを吐出するための記録素子を少なくとも有する第１の記録素子基板と、前記第１の記録素子基板に設けられた記録素子により吐出されるインクとは異なるインクを吐出するための記録素子を少なくとも有する第２の記録素子基板とを備え、前記第１の記録素子基板には、前記モノクロ記録モードで使用可能な記録素子の全てが設けられていることを特徴とする。
【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
記録材に画像を形成する画像形成手段と、
前記画像形成手段に駆動力を伝達する駆動列と、
第１の電装基板と、
第２の電装基板と、を備え、
前記第１の電装基板と第２の電装基板とが、ほぼ平行に重ねて配置されている画像形成装置であって、
前記第１の電装基板および第２の電装基板と、前記駆動列とが、前記画像形成手段をはさんだ反対側にそれぞれ配置されていることを特徴とする画像形成装置。
【請求項２】
前記第１の電装基板は、前記画像形成手段に電力を供給するための電源回路または高圧回路を含むことを特徴とする請求項１に記載の画像形成装置。
【請求項３】
前記第２の電装基板は、画像形成処理に関わる制御を実行するための制御回路を含むことを特徴とする請求項１または２に記載の画像形成装置。
【請求項４】
前記第１の電装基板は、高さ寸法が相対的に高い部品群と低い部品群とを含み、
前記第２の電装基板は、前記第１の電装基板のうち高さ寸法が相対的に低い部品群が配置されている領域に重ね合わされていることを特徴とする請求項１乃至３のいずれか１項に記載の画像形成装置。
【請求項５】
前記第１の電装基板と第２の電装基板とが、部品の実装面を向き合わせるようにして配置されていることを特徴とする請求項１乃至４のいずれか１項に記載の画像形成装置。
【請求項６】
前記第２の電装基板は、その全体が第１の電装基板の外接直方体領域と重なるように配置されていることを特徴とする請求項１乃至５のいずれか１項に記載の画像形成装置。
【手続補正２】
【補正対象書類名】明細書
【補正対象項目名】００１５
【補正方法】変更
【補正の内容】
【００１５】
本発明に係る画像形成装置は、
記録材に画像を形成する画像形成手段と、
前記画像形成手段に駆動力を伝達する駆動列と、
第１の電装基板と、
第２の電装基板と、を備え、
前記第１の電装基板と第２の電装基板とが、ほぼ平行に重ねて配置されている画像形成装置であって、
前記第１の電装基板および第２の電装基板と、前記駆動列とが、前記画像形成手段をはさんだ反対側にそれぞれ配置されていることを特徴とする。
【手続補正３】
【補正対象書類名】明細書
【補正対象項目名】００１６
【補正方法】変更
【補正の内容】
【００１６】
本発明によれば、画像形成装置において電装基板を高密度に配置し、装置本体を小型化するとともに、画像形成手段を挟んで駆動列の反対側に高密度化した電装基板を配置したことにより装置本体内のレイアウトを最適化することができる。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
低圧電源回路と、
この低圧電源回路から所定の電源電圧が供給される負荷系と、
前記負荷系に供給される電源電圧の電源ラインに介在するインターロックスイッチと、
所定の回路が搭載された多層回路基板とを備え、
前記低圧電源回路から前記負荷系への電源ラインは、前記インターロックスイッチから前記低圧電源回路までの第１の経路および前記インターロックスイッチから前記負荷系までの第２の経路とを有し、前記第１および第２の経路の少なくとも一方の経路については前記多層回路基板のいずれかの層内のパターンを利用することを特徴とする画像形成装置。
【請求項２】
前記第１および第２の経路の両方が前記多層回路基板の層を利用する場合、その一方の経路は、前記多層回路基板の内層または表層を利用し、他方の経路は前記多層回路基板の他の層を利用することを特徴とする請求項１記載の画像形成装置。
【請求項３】
前記低圧電源回路を搭載した電源回路基板は装置内の底部に配置され、前記多層回路基板は装置内の背部において前記電源回路基板とほぼ垂直に配置されたことを特徴とする請求項１記載の画像形成装置。
【請求項４】
前記第２の経路について前記多層回路基板の層内で引き回されるパターンは、前記インターロックスイッチに近い側が、比較的大電流を消費する前記負荷系に接続され、前記多層回路基板のインターロック後のパターンの少なくとも当該負荷系に接続される部分までのパターン太さを、インターロック後のパターンの残りの部分より太くしたことを特徴とする請求項１記載の画像形成装置。
【請求項５】
前記多層回路基板の内層に配置される電源ラインのパターンは、その上下の他の層に設けたＧＮＤパターンで挟み込むように形成したことを特徴とする請求項１記載の画像形成装置。
【請求項６】
前記多層回路基板の電源ライン上にＶＩＡが形成される場合、前記インターロック前と後のパターン間の絶縁距離を確保するために、各層内でのそれぞれ絶縁距離を加味して当該絶縁距離を確保することを特徴とする請求項１記載の画像形成装置。
【請求項７】
前記多層回路基板において、少なくとも、インターロック前のパターンとインターロック後のパターンが形成されている部分をグランドガードで囲み、さらに表層から基板裏面のハンダ面を複数のＧＮＤＶＩＡで接続したことを特徴とする請求項１記載の画像形成装置。
【請求項８】
前記多層回路基板は前記電源ラインのパターンの近傍にデジタル回路領域を有し、当該パターンと前記デジタル回路と間にグランドガードを施し、複数のＧＮＤＶＩＡで分離したことを特徴とする請求項１または７記載の画像形成装置。
【手続補正書】
【提出日】平成20年12月2日(2008.12.2)
【手続補正１】
【補正対象書類名】明細書
【補正対象項目名】０００７
【補正方法】変更
【補正の内容】
【０００７】
請求項１に係る本発明は、基台（４）に立設された支柱（６）に取付けられたフレーム（２０）に、ハンドルレバー（２３）を回転自在に支持すると共にスライド（３）を上下方向移動自在に支持し、前記ハンドルレバー（２３）の回動に基づき前記スライド（３）を上下方向に移動してなる、ハンドプレス機（１）において、
前記ハンドルレバー（２３）の回転軸（２４ａ）に連結されたギヤ（２４）と、
前記ギヤ（２４）に連動しかつ前記フレーム（２０）に回転自在に支持されたカム軸（２６）と、
それぞれ少なくとも２個の係合突部（７３、７４）（８３、８４）を有し、かつ該係合突部が互に半ピッチずれるように前記カム軸（２６）に固定された１対の駆動カム（７，８）と、
前記スライド（３）の左右両側面に互に半ピッチずれて上下方向に設けられ、前記１対の各駆動カム（７，８）の前記係合突部（７３、７４）（８３、８４）にそれぞれ係合する複数の突起（３１，３２）と、を備えてなる、
ことを特徴とするハンドプレス機（１）である。
【手続補正２】
【補正対象書類名】明細書
【補正対象項目名】０００９
【補正方法】変更
【補正の内容】
【０００９】
請求項３に係る本発明は、前記１対の各駆動カム（７，８）は、少なくとも一方の係合突部の頂部に、前記カム軸を中心とした円弧面（Ｃ）を有してなる、
請求項１又は２記載のハンドプレス機（１）である。
【手続補正３】
【補正対象書類名】明細書
【補正対象項目名】００３７
【補正方法】変更
【補正の内容】
【００３７】
１    ハンドプレス機
３    スライド
７    駆動カム
８    駆動カム
２０    フレーム
２４    操作ギヤ
２５    中間ギヤ
２７    出力ギヤ
３１ａ、３１ｂ、３１ｃ  突起
３２ａ、３２ｂ、３２ｃ  突起
７１、８１  滑り域
７２、８２  摺動面
７３、７４  係合突部
８３、８４  係合突部
【手続補正書】
【提出日】平成20年11月14日(2008.11.14)
【手続補正１】
【補正対象書類名】特許請求の範囲
【補正対象項目名】請求項１
【補正方法】変更
【補正の内容】
【請求項１】
上部プレス盤と、少なくとも１つの中間プレス盤と、下部プレス盤とを備えたプレス盤部であって、これらのプレス盤が鉛直方向に並べられた構造となっており、これらのプレス盤間で製品をプレスするよう構成されたものと、
前記プレス盤を移動させるプレス盤駆動手段と、
前記プレス盤駆動手段が、前記プレス盤部のプレス盤同士が互いに離れている第１の状態にて前記中間プレス盤と前記下部プレス盤とを一体に移動させる第１の駆動モードと、該第１の状態と該プレス盤同士が該製品を介して互いに接する第２の状態との間で該プレス盤を移動させる第２の駆動モードと、を切り換える切換手段と、
を備えたプレス装置。
【手続補正書】
【提出日】平成21年2月6日(2009.2.6)
【手続補正１】
【補正対象書類名】明細書
【補正対象項目名】０００１
【補正方法】変更
【補正の内容】
【０００１】
本発明は、エア  プロダクツ  アンド  ケミカルズ  インコーポレイテッドと米国エネルギー省とのＤＯＥ協同契約番号ＤＥ−ＦＣ２６−９７ＦＴ９６０５２の下に、米国政府の支援でなされたものである。米国政府は、本発明に対し所定の権利を有する。
本発明は、１つのモジュールから１つ以上の共通ヘッダを介して一緒に接合されている１つ以上の別のモジュールへのガスの流れを、分離するためのモジュール分離装置に関する。より具体的には、本発明は、酸素含有ガス（例えば空気）から純化酸素を製造するために、または合成ガスを生成するために特別に設計されたイオン輸送メンブレン（膜）（ＩＴＭ）モジュールのための分離装置に関する。
【手続補正書】
【提出日】平成20年12月5日(2008.12.5)
【手続補正１】
【補正対象書類名】特許請求の範囲
【補正対象項目名】請求項２
【補正方法】変更
【補正の内容】
【請求項２】
前記測定手段は、
光を照射する発光手段と、
前記発光手段から照射される光を受光し、該受光光量に従う信号を出力する受光手段と、
前記記録ヘッドから吐出されたインク液滴が前記発光手段から前記受光手段への光の光束を遮るように制御する制御手段と、
前記インク液滴が前記光束を遮ることにより生じる前記受光手段から出力される信号の変化と前記インク液滴を吐出するための前記記録ヘッドへの吐出タイミング信号の投入タイミングとに基づいてインク液滴の吐出速度を算出する算出手段とを含むことを特徴とする請求項１に記載の記録装置。
【誤訳訂正書】
【提出日】平成21年11月4日(2009.11.4)
【誤訳訂正１】
【訂正対象書類名】特許請求の範囲
【訂正対象項目名】請求項４
【訂正方法】変更
【訂正の内容】
【請求項４】
上面及び底面を備えるとともに前記面の間に複数の穴が設けられた細長いプレートであって、前記複数の穴の少なくとも１つの穴は、第１の直径を備えた前記上面に隣接した球形の溝部分及び前記第１の直径以下の第２の直径を備えた前記底面の開口を有する細長いプレートと、
骨係合ネジ山を形成する細長い軸部、拡大ヘッド及び前記軸部と前記ヘッドとの間の中間部分を有する骨係合固定具であって、前記軸部は前記プレートの前記上面から前記少なくとも１つの穴を通って前記骨係合固定具を挿入することができるように前記第２の直径より小さい外径を有し、前記拡大ヘッドは、前記少なくとも１つの穴の前記球形の溝に補完的な、一部が球形の面を形成する骨係合固定具と、
前記プレートの前記溝部分内に前記骨係合固定具の前記ヘッドを固定する固定ネジ組立体であって、前記少なくとも１つの穴に隣接して前記プレートに形成された固定具穴と、前記固定具穴に隣接して前記プレートに形成された切り欠き部分と、中央穴及び前記中央穴に連通する溝を有し、前記骨係合固定具が前記少なくとも１つの穴を貫通するとき前記骨係合固定具の前記ヘッドに接触するように形成された外面を有するワッシャであって、前記ワッシャが前記プレートに対して前記ワッシャの回転を防止するために前記プレートの前記切り欠き部分内に配置されるように形成された前記中央穴に隣接したキーを有するワッシャと、前記ワッシャの前記溝に配置されるように形成されたヘッド及び前記中央穴を貫通して延び前記プレートの前記固定具穴に係合するように構成された細長い軸部を有する固定具と、を有する固定ネジ組立体と、
を有する骨固定装置。
【手続補正書】
【提出日】平成20年12月1日(2008.12.1)
【手続補正１】
【補正対象書類名】明細書
【補正対象項目名】特許請求の範囲
【補正方法】変更
【補正の内容】
【特許請求の範囲】
【請求項１】  部品装着位置等の装着データに従い電子部品のプリント基板へ装着するシミュレーション結果を表示する画面にプリント基板に付された認識マークを表示することを特徴とする表示装置。
【請求項２】  部品装着位置等の装着データに従い電子部品のプリント基板へ装着するシミュレーション結果を画面表示する表示装置において、前記画面に電子部品の位置と電子部品の形状を装着順に従って表示すると共にプリント基板に付された認識マークをその位置データに基づいて表示することを特徴とする表示装置。
【請求項３】  プリント基板に付された認識マークを基板認識カメラで撮像して前記マークの位置ズレ量を加味して前記基板に電子部品を吸着ノズルにより装着する電子部品装着装置において、部品装着位置等の装着データを記憶する第一の記憶装置と、前記認識マークの位置に関する位置データを記憶する第２の記憶装置と、前記第１の記憶装置に記憶された前記装着データ及び前記第２の記憶装置に記憶された認識マークの位置データに基づいて電子部品を装着するシミュレーションを実行する実行装置と、該実行装置のシミュレーションによる装着部品と前記認識マークとを表示する表示装置とを備えたことを特徴とする電子部品装着装置。
【手続補正２】
【補正対象書類名】明細書
【補正対象項目名】０００５
【補正方法】変更
【補正の内容】
【０００５】
【課題を解決するための手段】
このため第１の発明は、部品装着位置等の装着データに従い電子部品のプリント基板へ装着するシミュレーション結果を表示する画面にプリント基板に付された認識マークを表示することを特徴とする。
【手続補正３】
【補正対象書類名】明細書
【補正対象項目名】０００６
【補正方法】変更
【補正の内容】
【０００６】
また第２の発明は、部品装着位置等の装着データに従い電子部品のプリント基板へ装着するシミュレーション結果を画面表示する表示装置において、前記画面に電子部品の位置と電子部品の形状を装着順に従って表示すると共にプリント基板に付された認識マークをその位置データに基づいて表示することを特徴とする。
【手続補正４】
【補正対象書類名】明細書
【補正対象項目名】０００７
【補正方法】変更
【補正の内容】
【０００７】
更に第３の発明は、プリント基板に付された認識マークを基板認識カメラで撮像して前記マークの位置ズレ量を加味して前記基板に電子部品を吸着ノズルにより装着する電子部品装着装置において、部品装着位置等の装着データを記憶する第一の記憶装置と、前記認識マークの位置に関する位置データを記憶する第２の記憶装置と、前記第１の記憶装置に記憶された前記装着データ及び前記第２の記憶装置に記憶された認識マークの位置データに基づいて電子部品を装着するシミュレーションを実行する実行装置と、該実行装置のシミュレーションによる装着部品と前記認識マークとを表示する表示装置とを備えたことを特徴とする。
【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
硬化前の透明なエポキシ樹脂に、硬化剤と粒度の異なる複数の粉末の顔料を加えて、木材の表面やくぼみに流し込むことで、前記樹脂は色彩のグラデーションを呈しながら硬化し、木材に定着することを特徴とする木材へのグラデーション彩色技法。
【手続補正２】
【補正対象書類名】明細書
【補正対象項目名】全文
【補正方法】変更
【補正の内容】
【発明の詳細な説明】
【発明の名称】木材へのグラデーション彩色技法
【技術分野】
【０００１】
本発明は、木工品などの木材に対するグラデーション彩色技法に関するものである。
【背景技術】
【０００２】
木材と硝子（ガラス）という、相異なる形状・質感を有する素材の融合から生まれる斬新なデザインを備えた木工品を創作する過程において、高温に溶かしたガラスを、木材に直接的に流し込むことは、ガラスの融点の高さと、硬化後の非密着性から、不可能とされていた。
【発明の開示】
【発明が解決しようとする課題】
【０００３】
解決しようとする問題点は、木材と硝子（ガラス）との接着を考えた場合、その両方の素材に対して、形状的に多くの制約を強いる事と、強度的に不安を残すことである。
【課題を解決するための手段】
【０００４】
そこで、エポキシ樹脂に注目し、その特性を考査し、試行をくり返した結果、硬化剤添加後は、木材に非常に強い密着性を示し、高い透明度と堅牢性を示した。
【０００５】
そこで、本発明にあっては、このエポキシ樹脂の特性を生かし、硬化前の透明なエポキシ樹脂に、硬化剤と粒度の異なる複数の粉末の顔料を加えて、木材の表面やくぼみに流し込む。流し込むことで、樹脂は色彩のグラデーションを呈しながら硬化し、木材に定着する。
【発明の効果】
【０００６】
本発明は、透明なエポキシ樹脂に色彩のグラデーションをかけることができる。また樹脂が硬化するとほぼ、ガラスに酷似した形状を呈するため、ガラスの代用としてあらゆる形状の木材との接着が可能である。
【０００７】
注型用エポキシ樹脂は、硬化前は液状であるため、あらゆる形状の木材の細部にまで流れこみ、自由な形状で硬化・定着できるため、いままで廃棄されていたり、安価で取り引きされていた木材の木工品・工芸品としての利用価値、商品価値が高まる。
【０００８】
硬化前のエポキシ樹脂に日本画の顔料（粉末の岩絵具）を加える事により、たとえば、青色糸の顔料を加えた場合、川や湖のような澄み切った水のイメージを、木工品の表面やくぼみに定着させる事ができる。
【発明を実施するための最良の形態】
【０００９】
図１は生け花の花台として、栓の木の欠けの部分に本発明の技法を実施した説明図である。１は、木工品の表面に、台を少し傾けて流しこんだ樹脂、２は、木工品の欠けの部分に流しこんだ樹脂である。
【００１０】
高透明な注型用エポキシ樹脂に岩絵具の粒度が小さい（細かい）粉末を加えると、樹脂全体が一様に着色し、粒度が大きい（粗い）粉末を加えると、顔料と樹脂との比重の差により、たとえば木材のくぼみに流しこんだ場合、くぼみの下方に濃く顔料は沈みこみ、上ずみは、透明度を、上面に向かって増し、グラデーションを様したまま硬化し木材に定着した。液面は鏡面を呈し、木材を少し傾けて、その表面に上方から下方に向けて樹脂を流した所、顔料は、上方から下方に向かってゆるやかな濃淡のグラデーションを呈しながら硬化し定着した。樹脂の流動性は、温度によって変化するため、樹脂を湯せんして、液温を上げると、その粘度は低下し、なめらかな液状を呈し、液温を低下させれば粘度は高くなり泥状を呈する為、グラデーションの形状を温度の調整で変化させ、デザインする事も可能である。
【００１１】
硬化後の樹脂の表面に、ウッドオイル・ワックスを塗布しても樹脂は変質・変色せず、花台・燭台・食卓のボード・プレート・トレー等に応用・活用できる。
【産業上の利用可能性】
【００１２】
森林資源の枯渇が進む中で、製材所から出た廃材のリサイクル、また希少な広葉樹木等の利用価値の向上。そして家具・工芸品・食器等、あらゆる木製品に私の技法は適用し、商品価値を高めることができる。
【図面の簡単な説明】
【００１３】
【図１】生け花の花台として、栓の木の欠けの部分に私の技法を実施した説明図である。
【符号の説明】
【００１４】
１ 木工品の表面に、台を少し傾けて流しこんだ樹脂
２ 木工品の欠けの部分に流しこんだ樹脂
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
生体試料を含む検体を画像取得可能な状態に準備し、前記検体からの生物学的活性に起因する微弱な光学的データを蓄積して画像解析可能な画像情報を取得する微弱光画像取得手段と連携し、前記微弱光画像を形態的に解析して前記検体中における個々の細胞を認識するとともに、認識した個々の細胞に対応する微弱光の光強度を網羅的に評価するための画像解析を行うことを特徴とする微弱光検体の検査方法。
【請求項２】
前記微弱光画像取得手段がさらに異なる所望の経過時間ごとの微弱光画像を連続的ないし断続的に取得する構成を有する場合であって、１以上の同一の細胞に関する時間ごとの前記生物学的活性に起因する光学的データの光強度を網羅的に解析することを特徴とする請求項１に記載の微弱光検体の検査方法。
【請求項３】
画像取得した時刻に応じた評価を行う工程をさらに有する請求項２に記載の微弱光検体の検査方法。
【請求項４】
前記微弱光画像取得手段が取得した時間ごとの光学的データに基づく動画を生成することを特徴とする請求項３に記載の微弱光検体の検査方法。
【請求項５】
前記画像解析した２以上の細胞の光強度および／または光強度パターンに応じて同一または異なる細胞グループに分類することを特徴とする請求項１または２に記載の微弱光検体の検査方法。
【手続補正２】
【補正対象書類名】明細書
【補正対象項目名】発明の名称
【補正方法】変更
【補正の内容】
【発明の名称】微弱光検体の検査方法
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
遺伝的関連性のある第VII因子活性化プロテアーゼ（FSAP）MR I変異体のヘテロ−またはホモ接合型発現を有するヒトを同定するための診断方法であって、FSAPの活性を測定し、差異的活性調節剤の不在下および存在下で測定される試料中に存在するFSAP活性を含み、ここで、該差異的活性調節剤は遺伝的関連性のあるFSAP MR I変異体のヘテロ−またはホモ接合型発現を有するヒト由来の試料中の該FSAP活性を、FSAP MR I変異体を発現しないヒト由来の試料中とは異なった程度変化させる上記方法。
【請求項２】
測定されたFSAP活性がプラスミノゲン・アクチベーター活性化FSAP活性である、請求項１記載の方法。
【請求項３】
測定されたFSAP活性がアミド分解FSAP活性である、請求項１記載の方法。
【請求項４】
差異的活性調節剤が、FSAP MR I変異体を発現しないヒト由来の試料中のFSAP活性を、
遺伝的関連性のあるFSAP MR I変異体のヘテロ−またはホモ接合型発現を有するヒト由来の試料中と比べてより大きな程度阻害または活性化する、請求項１〜３のいずれかに記載の方法。
【請求項５】
アプロチニンが差異的活性調節剤として用いられる、請求項１〜４のいずれかに記載の方法。
【請求項６】
モノクローナルまたはポリクローナル抗FSAP抗体が差異的活性調節剤として用いられる、請求項１〜４のいずれかに記載の方法。
【請求項７】
ハイブリドーマ細胞株DSM ACC2454、DSM ACC2674およびDSM ACC2726の１つにより産生されるモノクローナル抗FSAP抗体が用いられる、請求項６記載の方法。
【請求項８】
ハイブリドーマ細胞株DSM ACC2454、DSM ACC2674およびDSM ACC2726の一つにより産生されるモノクローナル抗FSAP抗体の１つにより結合されるFSAPエピトープへ結合するモノ
クローナル抗FSAP抗体が用いられる、請求項６記載の方法。
【請求項９】
ａ）試料の第一のアリコット中のFSAP活性を差異的活性調節剤の存在下で測定し；
ｂ）同じ試料の第二のアリコット中のFSAP活性を差異的活性調節剤の不在下で測定し；そして
ｃ）ａ）およびｂ）中で測定された２つの活性を比較する、
ことによってFSAP活性の変化の程度が測定される、請求項１〜８のいずれかに記載の方法。
【請求項１０】
ａ）試料のアリコット中のFSAP活性を差異的活性調節剤の不在下で測定し；
ｂ）反応混合物に差異的活性調節剤を加え；次いで
ｃ）FSAP活性を差異的活性調節剤の存在下で測定し；そして
ｄ）ａ）およびｃ）中で測定された２つの活性を比較する；
ことによってFSAP活性の変化の程度が測定される、請求項１〜８のいずれかに記載の方法。
【手続補正２】
【補正対象書類名】明細書
【補正対象項目名】００６１
【補正方法】変更
【補正の内容】
【００６１】
活性調節剤の影響の有意性の指標を得るためにｔ試験を行った。ｔ試験は２つの試料は等しいおよび等しくない分散を有するとの仮定に基づいている。片側検定（１つの端）を行った。このｔ試験は、アプロチニン、モノクローナル抗FSAP抗体MAb 2004-151／013(2)（DSMACC2726）およびモノクローナル抗FSAP抗体MAb 2004-98／016(3)が、MR I試料よりWT試料の活性を適切な有意性をもってより大きく減少させ、その結果WT／MR Iの商は＞１となることを示す。反対に、モノクローナル抗FSAP抗体MAb 1102／1189-2（DSMACC2454）は、MR I試料よりWT試料の活性を大きく増大させ、その結果WT／MR Iの商は＜１となる。このことはモノクローナル抗FSAP抗体MAb 2004-35／05(1)（DSMACC2674）でも同様だった。この場合のＰ値はいかなる有意性も示さないが、それらは相対的に小さく、そしてそれゆえに十分な測定数すなわちより多数の例数を用いれば帰無仮説は否定できると推察できる。したがって、MAb 1102／1189-2（DSMACC2454）およびMAb2004-35／05 (1)（DSMACC2674）も同様に適切な活性調節剤である。
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域を有する遊技盤を備えた遊技機において、
前記遊技盤は、その所定箇所に、識別情報を変動表示する可変表示装置を備え、
前記可変表示装置は、
識別情報を変動表示する変動表示手段と、
前記変動表示手段の表示画面が当該遊技機の前面側から視認可能なように、前記変動表示手段が取り付けられ、かつ、前記遊技盤の裏面側に取り付けられる取付部材と、
前記変動表示手段の表示画面の周囲を囲う形状で、前記遊技盤の前面に取り付けられる、前記取付部材とは別体の前面側部材と、
を備え、
前記取付部材は、当該取付部材が前記遊技盤の裏面側に取り付けられた状態において、前記遊技盤裏面より背後側に向けて窪んだ凹部を備え、
前記凹部は、前記遊技盤を前面視した状態で、前記遊技盤における前記可変表示装置の取付開口外形から少なくとも一部がはみ出た形状であり、前面側で前記変動表示手段の表示画面の周囲の所定箇所に、発光部を有する発光手段を備え、
前記発光手段は、前記発光部以外の箇所が、前記凹部の外周と前記遊技盤の取付開口との間の領域に位置するように、前記凹部に配設されている
ことを特徴とする遊技機。
【請求項２】
請求項１に記載の遊技機において、
前記発光手段は、発光部が実装された発光部実装基板であり、
前記取付部材は、前記遊技盤に取り付けられて前記前面側部材が前記遊技盤から取り外された状態において、前記凹部の前面側で、前記変動表示手段の表示画面の周囲から前記取付開口までの間の所定箇所に、前記発光部実装基板が当該取付部材に対して取り外し可能に取り付けられており、
前記発光部実装基板と、前記発光部実装基板の前記発光部の光進行方向を規制する光規制部材と、前記発光部実装基板と前記光規制部材とを収納する収納ケースと、をユニット化した基板ユニットを備え、
前記収納ケースは、前記取付部材に対して着脱される被着脱部を、前記前面側部材が前記遊技盤から取り外された状態において、前記変動表示手段の表示画面の周囲から前記取付開口までの間で露出した箇所に備え、
前記発光部実装基板が前記取付部材に直接取り付けられるのではなく、前記被着脱部により前記収納ケースが前記取付部材に着脱自在となっている
ことを特徴とする遊技機。
【請求項３】
請求項１または請求項２に記載の遊技機において、
前記前面側部材は、前記変動表示手段の表示画面の周囲を囲う壁であって、前記変動表示手段の表示画面と前記発光手段との間を区画する壁部を備えている
ことを特徴とする遊技機。